(57)【要約】【課題】股紐が釣人の脚を締め付けることなく常時快適な釣りを実現し得るフローティングベストの提供。【解決手段】このフローティングベスト１０は、後身頃１１、前身頃１２、１３及び股紐１４を備える。各身頃１１〜１３にはフロート部材が内蔵される。股紐１４は、股紐保持部１５により保持される。股紐１４は、位置決め機構１６を介して股紐保持部１５に位置決めされる。位置決め機構１６は、ドットボタンにより構成される。ドットボタンは、雄ボタン３３及び雌ボタン３２を有し、雄ボタン３３は股紐１４側に取り付けられ、雌ボタン３２は股紐保持部１５側に取り付けられる。股紐保持部１５は、環状部２８を有し、股紐１４は、環状部２８に挿通される。【選択図】  図１
2004360139.tif 000002
【特許請求の範囲】
【請求項１】
フロート部材が内蔵された後身頃と、
フロート部材が内蔵され、後身頃に連続する左右一対の前身頃と、
後身頃の下部中央部内側に設けられ、所定の位置決め機構を介して股紐を保持する股紐保持部と、
略中央部が股紐保持部に保持されると共に左右両端部がそれぞれ左右の前身頃に着脱自在に連結される股紐とを備え、
上記位置決め機構は、
股紐の略中央部に設けられた係合部と、
股紐保持部に設けられ、係合部と係合解除可能に係合し得る被係合部とを備えているフローティングベスト。
【請求項２】
上記係合部及び被係合部は、
スタッド部を備える雄ボタンと、ソケット部を備える雌ボタンとを有するスナップにより構成されている請求項１に記載のフローティングベスト。
【請求項３】
上記股紐保持部は、股紐が挿通され得る環状に形成され、
上記雄ボタン又は雌ボタンのうちいずれか一方は、上記股紐保持部の内側に上記スタッド部又はソケット部が突出するように取り付けられており、
上記雄ボタン又は雌ボタンのうちいずれか他方は、上記股紐に取り付けられている請求項２に記載のフローティングベスト。
【発明の詳細な説明】
【０００１】
【発明の属する技術の分野】
この発明は、フローティングベスト、具体的には、股紐付きフローティングベスト（いわゆるライフジャケット）の股紐の取付構造に関するものである。
【０００２】
【従来の技術】
図４は、従来から提供されているフローティングベストの正面図である。また、図５は、フローティングベストの前身頃が開かれた状態での正面図である。
このフローティングベスト１は、釣人が主として船からあるいは磯から釣りを行う場合に着用するものであって、ライフジャケットとも称される。
フローティングベスト１は、股紐２を備えている。股紐２は、図５が示すように、フローティングベスト１の後身頃３に係合されており、股紐２の両端部は、前身頃４、５に連結具（バックル）６を介して連結されている。
【０００３】
このように股紐２が取り付けられることによって、股紐２は、図４が示すように、２つの環状部７、８を構成する。釣人は、この環状部７、８に両足を挿入した状態でフローティングベスト１を着用する。これにより、股紐２は、釣人の股に掛け回された状態となる。
このように股紐２が釣人の股に掛け回されることにより、万が一釣人が海に着水した場合であっても、その衝撃でフローティングベスト１が釣人の身体から離脱することはない。
【０００４】
なお、フローティングベストに関する一般的な先行技術文献としては、特開２０００−８２０５等が存在するが、股紐の連結構造に関する先行技術文献については、本願出願時において本願出願人が知るものは存在しない。
【０００５】
【発明が解決しようとする課題】
ところで、股紐２は、図５が示すように後身頃３に係合されているが、具体的には、股紐２は、その略中央部が後身頃３に形成された股紐取付部９に取り付けられている。この股紐取付部９は、たとえばナイロン等からなる帯状の部材が環状に形成されたものであり、股紐２は、この股紐取付部９に挿通され、同図において左右に（矢印Ｒ、Ｌの方向に）スライド自在となっている。
【０００６】
股紐２が股紐取付部９に対してスライド自在となっていることから、股紐２が左右いずれかの方向にスライドした場合は、上記環状部７、８の一方は、その内径が小さくなり、他方は、その内径が大きくなる。このため、釣人にとって、一方の脚が股紐２によって締め付けられ、フローティングベスト１の着心地が悪くなって、快適な釣りをすることが困難となる。
【０００７】
そこで、本発明の目的は、釣人が着用した状態で股紐が釣人の脚を締め付けることなく常時快適な釣りが実現されるフローティングベストを提供することである。
【０００８】
【課題を解決するための手段】
（１）  上記目的が達成されるため、本願に係るフローティングベストは、フロート部材が内蔵された後身頃と、フロート部材が内蔵され、後身頃に連続する左右一対の前身頃と、後身頃の下部中央部内側に設けられ、所定の位置決め機構を介して股紐を保持する股紐保持部と、略中央部が股紐保持部に保持されると共に左右両端部がそれぞれ左右の前身頃に着脱自在に連結される股紐とを備え、上記位置決め機構は、股紐の略中央部に設けられた係合部と、股紐保持部に設けられ、係合部と係合解除可能に係合し得る被係合部とを備えていることを特徴とするものである。
【０００９】
この構成によれば、股紐の略中央部は、股紐保持部によって後身頃の下部中央部の内側に保持される。また、股紐の右端部及び左端部は、それぞれ右前身頃及び左前身頃に連結される。これにより、股紐の略中央から右側部分及び左側部分によって、釣人の両脚が挿通される一対の環状部が形成される。
股紐の略中央部は、位置決め機構によって上記股紐保持部に位置決めされる。したがって、股紐は、股紐保持部に保持された状態で、股紐保持部に対して位置ずれを起こすことはなく、その結果、股紐によって形成される上記一対の環状部の内径寸法は、常に一定に保たれる。
【００１０】
ここで、位置決め機構は、股紐側に設けられた係合部と、股紐保持部側に設けられた被係合部とが係合することによって構成されるから、股紐の位置決めは、簡単な構造により行われ、股紐の位置決め作業は、簡単なものとなる。
しかも、係合部及び被係合部は、係合解除可能に係合するから、股紐は、股紐保持部から容易に取り外される。また、股紐は、左右前身頃に対しても着脱自在であるから、結局、股紐は、後身頃及び前身頃に対して容易に着脱される。
【００１１】
（２）  上記係合部及び被係合部は、スタッド部を備える雄ボタンと、ソケット部を備える雌ボタンとを有するスナップにより構成され得る。
この構成によれば、スナップ（典型的にはいわゆるドットボタンが採用され得る。）によりきわめて簡単に係合部及び被係合部が構成される。したがって、股紐は、雄ボタンが雌ボタンに嵌め込まれることによってきわめて簡単に位置決めされる。しかも、股紐を位置決めするための構造がコスト安価に実現される。
【００１２】
（３）  上記股紐保持部は、股紐が挿通され得る環状に形成され、上記雄ボタン又は雌ボタンのうちいずれか一方は、上記股紐保持部の内側に上記スタッド部又はソケット部が突出するように取り付けられており、上記雄ボタン又は雌ボタンのうちいずれか他方は、上記股紐に取り付けられている構成が採用され得る。
この構成では、股紐は、股紐保持部の内部に挿通され、股紐保持部の内部において上記雄ボタンと雌ボタンとが係合される。したがって、仮に両者の係合が解除されたとしても、股紐が後身頃から離脱することはないという利点がある。
【００１３】
【発明の実施の形態】
以下、適宜図面が参照されつつ、好ましい実施形態に基づいて本発明が詳細に説明される。
【００１４】
図１は、本発明の一実施形態に係るフローティングベストの正面図である。
このフローティングベスト１０は、後身頃１１と左右一対の前身頃１２、１３と、股紐１４と、股紐１４を後身頃１１に位置決めする股紐保持部１５とを備えている。後に詳述されるが、股紐保持部１５は、位置決め機構１６を備えており、これによって股紐１４は、股紐保持部１５に位置決め固定されるようになっている。
【００１５】
後身頃１１及び一対の前身頃１２、１３は、例えばナイロン等により構成され、内部にフロート部材が内蔵されている。フロート部材は、図示されていないが、典型的にはポリ塩化ビニル（ＰＶＣ）、アクリロニトリル−ブタジエンゴム（ＮＢＲ）、エチレン酢酸ビニル共重合体（ＥＶＡ）等から構成される。また、フロート部材は、後身頃１１及び一対の前身頃１２、１３の内部に配置されることから、後身頃１１及び一対の前身頃１２、１３の内部の空間に対応した形状に形成されている。
【００１６】
左右の前身頃１２、１３は、それぞれ後身頃１１に連続して設けられている。特に本実施形態では、前身頃１２、１３の下方側縁部と後身頃１１の下方側縁部とは、伸縮性に富む生地３９で連結されており、これにより、フローティングベスト１０は、着用者の体型にフィットするという利点がある。
また、本実施形態では、この生地３９の部分に長さ調整用のバックル２６が配置されている。このバックル２６は、長さ調整用ベルト２７を備えており、この長さ調整ベルト２７の長さがバックル２６によって調整されることにより、フローティングベスト１０の胴周り寸法が調整される。
【００１７】
さらに、左右の前身頃１２、１３の前縁部１７、１８には、対を成すファスナー１９、２０がそれぞれ設けられており、このファスナー１９、２０によって前身頃１２、１３が開閉されるようになっている。
なお、同図では明確に図示されていないが、各身頃１１〜１３の縁部には別の開閉ファスナーが設けられており、フロート部材は、この開閉ファスナーが開かれることによって、着脱自在となっている。フロート部材が着脱自在に設けられることによって、フローティングベスト１０のクリーニングが容易となる。
【００１８】
股紐１４は、紐本体２１と、紐本体２１の両端部に設けられたバックル２２とを備えている。
紐本体２１は、例えばポリプロピレン（ＰＰ）等により構成されており、同図が示すように細長帯状に形成されている。
バックル２２は、従来から一般的に使用されているものであって、雄部２３及び雌部２４とを備えている。雄部２３が雌部２４に嵌め込まれることによって、両者が互いに固定されるようになっており、雄部２３は、所要の簡単な操作によって容易に雌部２４から外れるようになっている。
【００１９】
本実施形態では、雌部２４が前身頃１２、１３に設けられており、雄部２３が股紐１４の両端部に設けられている。股紐１４は、同図では明確に図示されていないが雄部２３に巻き掛けられており、雄部２３は、股紐１４に対してその長手方向にスライド可能となっている。つまり、股紐１４の中央部を基準にして、雄部２３までの距離が調整されるようになっている。
【００２０】
なお、前身頃１２、１３の内面には、補強テープ２５が固着されている。補強テープ２５は、例えば股紐１４と同様の材料で構成され、これが前身頃１２、１３に強固に縫いつけられている。そして、上記雌部２４は、この補強テープ２５に取り付けられている。具体的には、雌部２４は、補強テープ２５に縫いつけられることにより、固着されている。このように、雌部２４が補強テープ２５を介して前身頃１２、１３に固定されることによって、股紐１４が引っ張られた場合であっても、前身頃１２、１３が損傷を受けることはない。
【００２１】
図２は、図１におけるＩＩ−ＩＩ断面図であり、股紐保持部１５の構造を詳細に示している。
股紐保持部１５は、環状に形成された環状部２８と、上記位置決め機構１６とを備えている。
【００２２】
環状部２８は、例えば股紐１４と同様の材料で構成され、これが後身頃１１に縫い付けられている。後身頃１１には、補強テープ２９が固着されている。補強テープ２９は、上記補強テープ２５と同様の材料で構成されており、これが後身頃１１に強固に縫いつけられている。
具体的には、環状部２８の上部３０が後身頃１１に縫いつけられ、この部分を覆うように補強テープ２９が配置されている。この補強テープ２９は、左右方向に沿って後身頃１１の内側全体に延設されており、強固に縫いつけられている。このように、環状部２８が補強テープ２９によって強固に後身頃１１に固定されることによって、股紐１４が引っ張られた場合であっても、後身頃１１が損傷を受けることはない。
【００２３】
位置決め機構１６は、本実施形態ではドットボタンにより構成されている。ドットボタンは、雌ボタン３２と雄ボタン３３とを有する。ドットボタンを構成する雌ボタン３２及び雄ボタン３３は既知の構造である。つまり、雄ボタン３３はスタッド部３４を備え、雌ボタン３２はソケット部３５を備えており、スタッド部３４がソケット部３５に嵌め込まれる（係合する）ことによって、両者は、所定の嵌合力で嵌合する。そして、この所定の嵌合力に抗して雄ボタン３３と雌ボタン３２との嵌合を解除する力が作用した場合は、両者の嵌合は解除される。すなわち、雄ボタン３３は、雌ボタン３２から離反する。
【００２４】
雌ボタン３２は、上記環状部２８の前方に取り付けられている。具体的には、雌ボタン３２は、上記環状部２８の前方に外側から内側に向かって貫通するように配置されており、ソケット部３５が上記環状部２８の内側に配置されている。
雄ボタン３３は、股紐１４の紐本体２１の略中央部に取り付けられている。具体的には、雄ボタン３３は、紐本体２１に貫通するように配置されており、紐本体２１からスタッド部３４が突出している。
【００２５】
もっとも、上記雌ボタン３２が上記紐本体２１に取り付けられ、雄ボタン３３が上記環状部２８に取り付けられていてもよいことは勿論である。
要するに、対を成す係合部（本実施形態では雌ボタン３２及び雄ボタン３３のうちいずれか一方）と被係合部（本実施形態では雌ボタン３２及び雄ボタン３３のうちいずれか他方）とが係合可能な状態で配置されており、且つ係合部又は被係合部のうち上記環状部２８に取り付けられるものが当該環状部２８の内側に突出して配置され、当該環状部２８の内側で係合部と被係合部とが係合されるように構成されていればよい。
【００２６】
股紐１４は、股紐保持部１５によって保持される。具体的には、股紐１４は、環状部２８に挿通される。このとき、紐本体２１の両端部に設けられたバックル２２の雄部２３は、前身頃１２、１３に設けられた雌部２４と嵌合される。
この状態で、股紐１４は、上記位置決め機構１６によって股紐保持部１５に位置決めされる。具体的には、上記環状部２８の内側において、ドットボタンを構成する雄ボタン３３が環状部２８に設けられた雌ボタン３２に嵌め込まれる。雌ボタン３２は上記環状部２８に固定され、雄ボタン３３は上記紐本体２１に固定されているから、結局、股紐１４は、環状部２８に位置決め固定される。
【００２７】
これにより、股紐１４の略中央から右側部分及び左側部分は、それぞれ環状に形成される（図４参照）。この環状に形成された部分にフローティングベスト１０を着用する者（釣人等）の両脚が挿通される。股紐１４の略中央部は、位置決め機構１６によって股紐保持部１５に位置決めされているから、股紐１４は、股紐保持部１５に対して位置ずれすることはない。したがって、釣人は、釣りの際中に股紐１４が位置ずれを起こすことに起因して脚が締め付けられることはなく、快適な釣りを行うことができる。
【００２８】
本実施形態では、上記位置決め機構１６は、ドットボタンにより構成されている。したがって、股紐１４の位置決めは、簡単な構造により行われ、股紐１４の位置決め作業は、簡単なものとなる。
また、股紐１４は、バックル２２が操作されることによって簡単に前身頃１２、１３から取り外され、しかも、紐本体２１に設けられた雄ボタン３３が股紐保持部１５を構成する環状部２８に設けられた雌ボタン３２から外されることによって、股紐１４は、後身頃１１及び左右前身頃１２、１３から完全に取り外される。これにより、フローティングベスト１０のクリーニングが容易であるという利点がある。
【００２９】
さらに、本実施形態では、股紐１４は、股紐保持部１５を構成する環状部２８に挿通され、当該環状部２８の内側に固定される。したがって、例えば、釣りの際中に釣人が着水等した場合に、その衝撃によって股紐１４の位置決めが解除された場合（上記雄ボタン３３が雌ボタン３２から外れた場合）であっても、股紐１４が後身頃１１から離脱することはない。つまり、フローティングベスト１０が釣人の身体から離脱することはないという利点がある。
【００３０】
次に、本実施形態の変形例について説明される。
図３は、本実施形態の変形例に係るフローティングベストの要部断面図であって、股紐１４の位置決め機構４０の構造が図示されている。
本変形例に係る位置決め機構４０が上記実施形態に係る位置決め機構１６と異なるところは、上記位置決め機構１６では、股紐保持部１５を構成する環状部２８の内側において雄ボタン３３と雌ボタン３２とが嵌め合わされていたのに対し、本変形例では、嵌合部２８の外側において雄ボタン３３と雌ボタン３２とが嵌め合わされている点である。
【００３１】
図３が示すように、本変形例に係る位置決め機構４０では、雌ボタン３２は、環状部２８の内側から外側に向かって貫通配置されており、この雌ボタン３２に対して雄ボタン３３が嵌め込まれている。この雄ボタン３３は、股紐１４の紐本体２１に取り付けられている。
本変形例に係るフローティングベストについても、股紐１４は、股紐保持部１５に対して位置ずれすることはない。したがって、釣人は、釣りの際中に股紐１４が位置ずれを起こすことに起因して脚が締め付けられることはなく、快適な釣りを行うことができる。
【００３２】
特に本変形例では、股紐１４は、上記環状部２８に挿通されるものではないので、股紐１４が取り外される作業は、雄ボタン３３が雌ボタン３２から外されるだけで簡単に行われる。
もっとも、雄ボタン３３と雌ボタン３２との嵌合力が所要の大きさに設定されることにより、股紐１４は確実に股紐保持部１５に保持されるから、釣りの際中に不用意に股紐１４が後身頃１１から外れてしまうことはない。
【００３３】
【発明の効果】
以上のように本発明によれば、股紐は、後身頃に設けられた股紐保持部に取り付けられることによって股紐保持部に対して位置決めされるので、釣人がフローティングベストを着用したとき（股紐が釣人の脚に掛け回されたとき）に、股紐が釣人の脚を締め付けることはない。したがって、釣人は、常時快適な釣りを行うことができる。
しかも、股紐は後身頃及び前身頃に対して簡単に取り外せるから、フローティングベストのクリーニングが容易である。
【図面の簡単な説明】
【図１】図１は、本発明の一実施形態に係るフローティングベストの正面図である。
【図２】図２は、図１におけるＩＩ−ＩＩ断面図である。
【図３】図３は、本発明の一実施形態の変形例に係るフローティングベストの要部断面図である。
【図４】図４は、従来から提供されているフローティングベストの正面図である。
【図５】図５は、従来のフローティングベストの前身頃が開かれた状態での正面図である。
【符号の説明】
１０・・・フローティングベスト
１１・・・後身頃
１２・・・前身頃
１３・・・前身頃
１４・・・股紐
１５・・・股紐保持部
１６・・・位置決め機構
２１・・・紐本体
２２・・・バックル
２８・・・環状部
３２・・・雌ボタン
３３・・・雄ボタン
３４・・・スタッド部
３５・・・ソケット部
４０・・・位置決め機構
【図１】
2004360139.tif 000003
【図２】
2004360139.tif 000004
【図３】
2004360139.tif 000005
【図４】
2004360139.tif 000006
【図５】
2004360139.tif 000007